(57)【要約】【課題】汎用の棚板がそのまま使用でき、部品点数が少なく且つ簡易な構成で補助支柱の傾斜角度を調節できる陳列棚を提供すること。【解決手段】本発明の陳列棚１は、前面に多数の係止孔１３が長手方向に形成された縦支柱３と、縦支柱３の前面側に前後に傾斜して設けてあり且つ前面の長手方向に棚板９の係止孔１５が多数形成された補助支柱５と、補助支柱５の上端部を縦支柱３に連結する連結具７とを備え、連結具７は縦支柱の係止孔１３に係止する係止部３９と、補助支柱５の上端部を水平軸で軸支した枢止部２０と、角度調節部４５とを備え、角度調節部４５は枢止部２０の水平軸回りに所定角度回動した位置で補助支柱５の後面を受けている。【選択図】    図１
2004329402.tif 000002
【特許請求の範囲】
【請求項１】
前面に多数の係止孔が長手方向に形成された縦支柱と、縦支柱の前面側に前後に傾斜して設けてあり且つ前面の長手方向に棚板の係止孔が多数形成された補助支柱と、補助支柱の上端部を縦支柱に連結する連結具とを備え、連結具は縦支柱の係止孔に係止する係止部と、補助支柱の上端部を水平軸で軸支した  枢支部と、角度調節部とを備え、角度調節部は  枢支部の水平軸回りに所定角度回動した位置で補助支柱の後面を受けていることを特徴とする陳列棚。
【請求項２】
連結具は補助支柱の上端部を挟む左右の連結板を備え、角度調節部は、左右の連結板のそれぞれに形成した複数の角度調節孔と、左右の角度調節孔に挿通する軸部材とを備え、角度調節孔は  枢支部の水平軸回りの位置に設けてあり、左右の連結板の角度調節孔間に挿通した軸部材が補助支柱の後面を受けていることを特徴とする請求項１に記載の陳列棚。
【請求項３】
補助支柱の上端部には水平軸の枢軸孔が上下方向に複数形成されており、補助支柱に対する水平軸の取り付け位置を変更自在としていることを特徴とする請求項２に記載の陳列棚。
【請求項４】
連結具は、連結具本体と、縦支柱の係止孔に嵌合する嵌合部材とを備え、嵌合部材には長孔が形成されており、長孔を挿通するねじで嵌合部材が連結具本体に固定されており、嵌合部材が連結具本体に対してスライドすることにより縦支柱の係止孔に係脱自在としてあることを特徴とする請求項１〜３のいずれか一項に記載の陳列棚。
【発明の詳細な説明】
【０００１】
【発明の属する技術分野】
本発明は、陳列棚に関し、特に、棚板を傾斜して配置する陳列棚に関する。
【０００２】
【従来の技術】
一般に、ビデオテープ、ＣＤ、ＤＶＤ、ゲームソフトや書籍等の商品を陳列する場合に、傾斜した棚板にこれらの商品を陳列する場合がある。
【０００３】
このような陳列棚として、特許文献１の陳列棚では、縦支柱に対して傾斜して配置した補助支柱の上端部を連結具に水平軸で軸支して連結具を縦支柱の係止孔に係止するとともに、補助支柱の下端部にアームの一端を固定し、アームの他端を縦支柱の係止孔に係止して、アームの取り付け位置を変えつつ水平軸回りに補助支柱を回動して、補助支柱の傾斜角度を調節可能にしたことが開示されている。
【０００４】
特許文献２には、縦支柱に棚受けブラケットを取り付け、棚板の裏面側に設けた側板を水平軸で棚受けブラケットに回動自在に軸支するとともに、棚受けブラケットの水平軸回りに設けた角度調節孔と棚板の側板に設けた挿通孔とに軸部材を挿通して棚板を任意の角度で傾斜させて固定することが開示されている。
【０００５】
【特許文献１】
特開２００２−３３６１０３号公報
【特許文献２】
特開２００２−３６０３９３号公報
【０００６】
【発明が解決しようとする課題】
しかし、特許文献１の技術においては、補助支柱の下端部を縦支柱に連結するアームや、アームと縦支柱、アームと補助支柱とを連結する部品が必要になるので、部品点数が多くなるとともに構成が複雑になるという問題がある。
【０００７】
特許文献２の技術においては、補助支柱がなく、棚板は上端部を棚板ブラケットのみで縦支柱に固定しているので、商品を棚板上に配置したときに棚板が商品の荷重に耐えられなくなるおそれがある。更に、棚板の裏面側に側板を設ける必要があるので、棚板の構成が複雑になるとともに汎用の棚板がそのまま使用できないという問題がある。
【０００８】
本発明は、上述した事情に鑑みなされたもので、汎用の棚板がそのまま使用でき、部品点数が少なく且つ簡易な構成で補助支柱の傾斜角度を調節できる陳列棚の提供を目的とする。
【０００９】
【課題を解決するための手段】
上記目的を達成するために、請求項１に記載の発明は、前面に多数の係止孔が長手方向に形成された縦支柱と、縦支柱の前面側に前後に傾斜して設けてあり且つ前面の長手方向に棚板の係止孔が多数形成された補助支柱と、補助支柱の上端部を縦支柱に連結する連結具とを備え、連結具は縦支柱の係止孔に係止する係止部と、補助支柱の上端部を水平軸で軸支した  枢支部と、角度調節部とを備え、角度調節部は  枢支部の水平軸回りに所定角度回動した位置で補助支柱の後面を受けていることを特徴とする。
【００１０】
この請求項１に記載の発明では、陳列棚の組み立ては、補助支柱の上端部と連結具とに水平軸を挿通して補助支柱の上端部に連結具の  枢支部を取り付け、連結具の係止部を縦支柱の係止孔に係止する。補助支柱の傾斜角度の調節は、補助支柱の  枢支部において、水平軸回りに補助支柱を回動して所定角度に設定した位置で、連結具に設けた角度調節部を補助支柱の後面に配置して角度調節部が補助支柱の後面を受ける。これにより、補助支柱が所定の傾斜角度に保持される。
【００１１】
補助支柱を回動自在に保持する連結具の他に、従来技術のようなアーム部材を必要としないので、アーム部材や、アーム部材と縦支柱との固定部材、アーム部材と補助支柱との固定部材が不要なので、部品点数を少なくできる。
【００１２】
また、連結具の他に、従来技術のようなアーム部材を必要としないので、アーム部材と縦支柱との連結、アーム部材と補助支柱との固定作業が不要なので、組み立て作業も容易である。
【００１３】
特に、補助支柱と縦支柱との固定と、補助支柱の角度調節とが補助支柱の上端部に設けた連結具のみで行なうことができ、これらの機能が一箇所に集中しているので、組み立て及び角度調節の作業性が良い。
【００１４】
棚板は補助支柱の係止孔に係止するだけで装着できるので、汎用の棚板が使用できるとともに、補助支柱で棚板を受けているので商品荷重に対する棚板の耐久性が高い。
【００１５】
請求項２に記載の発明は、請求項１に記載の発明において、連結具は補助支柱の上端部を挟む左右の連結板を備え、角度調節部は、左右の連結板のそれぞれに形成した複数の角度調節孔と、左右の角度調節孔に挿通する軸部材とを備え、角度調節孔は  枢支部の水平軸回りの位置に設けてあり、左右の連結板の角度調節孔間に挿通した軸部材が補助支柱の後面を受けていることを特徴とする。
【００１６】
この請求項２に記載の発明では、請求項１に記載の発明と同様な作用効果を奏するとともに、補助支柱が連結具の水平軸回りを所定角度回動して、左右の連結板に形成した角度調節孔に軸部材を挿通するだけで、補助支柱を所定角度で固定することができ、補助支柱に軸部材を挿通する必要がないので、軸部材の挿通が容易にでき位置調節作業がしやすい。更に、補助支柱に位置調節用の孔を形成する必要がないので、部品加工も容易である。
【００１７】
請求項３に記載の発明は、請求項２に記載の発明において、補助支柱の上端部には水平軸の枢軸孔が上下方向に複数形成されており、補助支柱に対する水平軸の取り付け位置を変更自在としていることを特徴とする。
【００１８】
この請求項３に記載の発明では、請求項２に記載の発明と同様な作用効果を奏するとともに、補助支柱に対する水平軸の枢軸位置を変更することにより、各角度調節孔により調節した補助支柱の傾斜角度を異ならせることができるので、簡易な構成で調節角度を多く取ることができる。
【００１９】
請求項４に記載の発明は、請求項１〜３のいずれか一項に記載の発明において、連結具は、連結具本体と、縦支柱の係止孔に嵌合する嵌合部材とを備え、嵌合部材には長孔が形成されており、長孔を挿通するねじで嵌合部材が連結具本体に固定されており、嵌合部材が連結具本体に対してスライドすることにより縦支柱の係止孔に係脱自在としてあることを特徴とする。
【００２０】
この請求項４に記載の発明は、請求項１〜３のいずれか一項に記載の発明と同様な作用効果を奏するとともに、補助支柱の角度調節をするときに補助支柱を上方に向けて水平軸回りに回動した場合に連結具を上方に移動しようとする力が作用して、例えば、係止孔に係止部が上から係止している場合には係止部ががたついたり、係止部が係止孔から外れるおそれがある。しかし、本発明では、角度調節するときに、嵌合部材を係止孔に嵌合するので連結具が移動できず、係止部ががたついたり係止孔から外れるのを防止できる。嵌合部材はスライドにより縦支柱の係止孔に嵌合できるので操作性が良い。
【００２１】
【発明の実施の形態】
以下に、添付図面の図１〜図５を参照して本発明の実施の形態を詳細に説明する。図１は図５に示す陳列棚のＡ部の分解斜視図であり、（ａ）は補助支柱に連結具を固定した図であり、（ｂ）は連結具を分解して示す図であり、図２は図１（ａ）において連結具を支柱に装着した状態のＢ−Ｂ断面図であり、図３は連結具と縦支柱との係止状態を示す縦断面図であり、図４は図１（ａ）のＣ―Ｃ断面図であり、図５は本発明の実施の形態にかかる陳列棚の左右の一側部を抜き出して示す斜視図である。
【００２２】
本実施の形態にかかる陳列棚１は、ビデオテープやＣＤ等の商品を陳列する棚であって、縦支柱３と、補助支柱５と、連結具７と、補助支柱５に装着される棚板９とから構成されている。
【００２３】
縦支柱３はベース１１の左右に立設されており、各縦支柱３には、断面矩形の前面及び後面に長手方向に多数の係止孔１３が二列になって形成されている。
【００２４】
縦支柱３の中間部には、連結具７により補助支柱５の上端部が縦支柱３に固定されている。補助支柱５はその前面に縦支柱３と同様に多数の係止孔１５が長手方向に形成されている。
【００２５】
本実施の形態では、補助支柱５の上端部のみが連結具７で縦支柱３に固定されており、補助支柱５の下端は自由端になっている。補助支柱５の上端部は、連結具７の枢支部２０で軸支されている。枢支部２０には、上下に左右方向の第１枢軸孔１７と第２枢軸孔１９とが形成されている。これらの第１及び第２枢軸孔１７、１９のいずれかには、選択的に水平軸２７が挿通されて、連結具７が軸着される。
【００２６】
連結具７は、一側部を補助支柱５に連結してあり、他側部を縦支柱３に係止して、縦支柱３に補助支柱５を連結している。この連結具７は、左右の連結板２１、２３を合わせて構成されている連結具本体２５と、水平軸２７とを備え、左右の連結板２１、２３は略対称形状になっており、これらを互いに合わせて一体としている。
【００２７】
連結具本体２５の上部には、第１又は第２枢軸孔１７、１９に連通する挿通孔２９が形成されている。連結具本体２５の下部には３つの角度調節孔３１が略円弧形状に並んで配置されている。左右の連結板２１、２３の角度調節孔３１には軸部材（角度調節部）４５が挿通されており、補助支柱５を所定角度傾斜した位置で軸部材４５が補助支柱の後面を受けている。
【００２８】
連結具本体２５の下端では、ねじ３７とナット４０により左右の連結板２１、２３を固定しているとともに、このねじ３７に縦支柱３の係止孔に嵌合する嵌合部材３３が取り付けられている。嵌合部材３３は前後方向（縦支柱の係止孔に嵌合する方向）に長い長孔３８が形成されており、この長孔３８にねじ３７が挿通されており、嵌合部材３３はスライドにより、縦支柱３の係止孔１３に嵌合するものである。嵌合部材３３は、縦支柱３における係止孔１３の上下方向の寸法Ｈと嵌合部材３３の上下方向の寸法Ｔとが略等しい寸法になっている（図３参照）。
【００２９】
水平軸２７は、雄ねじ部材４１と雌ねじ部材４３とから構成されており、左右から挿通された雄ねじ部材４１と雌ねじ部材４３とを螺合している。
【００３０】
位置調節部孔３１には任意の位置で軸部材４５が挿通されており、軸部材４５が補助支柱５の後面を受けている。軸部材４５を挿通する角度調節孔３１の位置を変えることにより、水平軸２７の軸回りを回動する補助支柱５の傾斜角度を調節するようになっている。
【００３１】
また、連結具本体２５には縦支柱の係止孔１３に上方から係止する係止部３９が上下に複数設けてあり、連結具本体２５を縦支柱１３に係止により固定している。
【００３２】
次に、本実施の形態にかかる陳列棚１の組み立て及び作用について説明する。陳列棚１の組み立ては、補助支柱５の上端部を挟むようにして左右の連結板２１、２３を配置して、水平軸２７を連結板２１、２３の挿通孔２９及び補助支柱５の第１枢軸孔１７に挿通して固定する。本実施の形態では、水平軸２７は互いに螺合する雄ねじ部材４１と雌ねじ部材４３であるから、左右の連結板２１、２３を合わせて、連結板２１、２３の外側から雄ねじ部材４１と雌ねじ部材４３とを補助支柱５の上端部の第１枢軸孔１７に挿通して螺合により止める。次に、連結板２１、２３の角度調節孔３１に軸部材４５を挿通して止めるが、軸部材４５も雄ねじ部材４６と雌ねじ部材４８であるから、左右側からこれらを挿入して螺合により止める。尚、角度調節孔３１は複数あるが、組み立て時には仮止めであるから、任意の孔３１に軸部材４５を固定する。その後、左右の連結板２１、２３の下端を嵌合部材３３とともにねじ３７及びナット４０で止める。このようにして、図１（ａ）に示すように、補助支柱５に連結具７を固定し、縦支柱３の係止孔１３に連結具７の係止部３９を係止する。本実施の形態によれば、連結具７の係止部３９を縦支柱３の係止孔１３に係止することにより容易に固定できる。しかも、補助支柱５はその上端部のみを縦支柱３に取り付けるだけであるから、一箇所の固定で済み、組み立て作業が簡易である。
【００３３】
その後、連結具７に取り付けてある嵌合部材３３をスライドして、縦支柱３の係止孔１３に嵌入する。これにより、連結具７が上下方向に移動するのが阻止されるので、連結具７が縦支柱３に対して上下にがたついたり、連結具７の係止部３９が縦支柱３の係止孔１３からはずれるのを防止する。
【００３４】
次に、補助支柱５の角度調節を行なう。補助支柱５の傾斜角度の調節は、補助支柱５の枢支部２０において、水平軸２７の軸回りに補助支柱５を回動して所定位置で、連結具７の角度調節孔３１に軸部材４５を挿通して、軸部材４５で補助支柱５の後面を受ける。
【００３５】
尚、補助支柱５の傾斜角度を図１に示す場合よりも小さく取る場合には、補助支柱５の上端部に設けてある第２枢軸孔１９に水平軸２７を挿通する。この場合、補助支柱５の回動支点が、第１枢軸孔１７に取り付けた場合よりも上方に移動するので、第１枢軸孔１７に取り付けた場合よりも補助支柱５の傾斜角度が小さくできる。このように、２箇所の枢軸孔１７、１９を設けることにより、補助支柱５の角度調節範囲を２倍にできる。
【００３６】
本実施の形態では、補助支柱５と縦支柱３との固定と、補助支柱５の角度調節とが補助支柱５の上端部のみで行なうことができ、これらの機能が一箇所に集中しているので、組み立て及び角度調節の作業性が良い。
【００３７】
棚板９は補助支柱５の係止孔１５に係止するだけで装着できるので、汎用の棚板９が使用できるとともに、補助支柱５で棚板９を受けているので補助支柱５で棚板９を受けない場合に比較して商品荷重に対する耐久性が高い。
【００３８】
本発明は、上述した実施の形態に限定されず、本発明の要旨を逸脱しない範囲で種々変形可能である。
例えば、枢軸孔１７、１９は、第１及び第２枢軸孔１７、１９で２つ設けることに限らず、いずれか一つのみであっても良いし、３つ等２つ以上であってもよい。
【００３９】
複数の角度調節孔３１は、水平軸２７を中心とした円弧状に並べて設けることに限らず、水平方向に並べたり、垂直方向に並べるものであってもよい。
【００４０】
【発明の効果】
請求項１に記載の発明によれば、補助支柱は上端部のみに設けた連結具で縦支柱に固定するから、補助支柱には連結具の他に、従来技術のようなアーム部材を必要としないので、アーム部材や、アーム部材と縦支柱との固定部材、アーム部材と補助支柱との固定部材が不要なので、部品点数を少なくできる。
【００４１】
また、連結具の他に、従来技術のようなアーム部材を必要としないので、アーム部材と縦支柱との連結、アーム部材と補助支柱との固定作業が不要なので、組み立て作業も容易である。
【００４２】
特に、補助支柱と縦支柱との固定と、補助支柱の角度調節とが補助支柱の上端部に設けた連結具のみで行なうことができ、これらの機能が一箇所に集中しているので、組み立て及び角度調節の作業性が良い。
【００４３】
棚板は補助支柱の係止孔に係止するだけで装着できるので、汎用の棚板が使用できるとともに、補助支柱で棚板を受けているので商品荷重に対する棚板の耐久性が高い。
【００４４】
請求項２に記載の発明では、請求項１に記載の発明と同様な効果を奏するとともに、補助支柱が連結具の水平軸回りを所定角度回動して、左右の連結板に形成した角度調節孔に軸部材を挿通するだけで、補助支柱を所定角度で固定することができ、補助支柱に軸部材を挿通する必要がないので、軸部材の挿通が容易にでき位置調節作業がしやすい。更に、補助支柱に位置調節用の孔を形成する必要がないので、部品加工も容易である。
【００４５】
請求項３に記載の発明では、請求項２に記載の発明と同様な効果を奏するとともに、補助支柱に対する水平軸の枢軸位置を変更することにより、各角度調節孔により調節した補助支柱の傾斜角度を異ならせることができるので、簡易な構成で調節角度を多く取ることができる。
【００４６】
請求項４に記載の発明は、請求項１〜３のいずれか一項に記載の発明と同様な効果を奏するとともに、連結具に設けた嵌合部材が縦支柱の係止孔に嵌合するので、特に補助支柱の角度調節時に、縦支柱の係止孔に対して連結具の係止部ががたついたり係止孔から外れるのを防止できる。
【図面の簡単な説明】
【図１】図５に示す陳列棚のＡ部の分解斜視図であり、（ａ）は補助支柱に連結具を固定した図であり、（ｂ）は連結具を分解して示す図である。
【図２】図１（ａ）において連結具を支柱に装着した状態のＢ−Ｂ断面図である。
【図３】連結具と縦支柱との係止状態を示す縦断面図である。
【図４】図１（ａ）のＣ―Ｃ断面図である。
【図５】本実施の形態にかかる陳列棚の左右の一側部を抜き出して示す斜視図である
【符号の説明】
１    陳列棚
３    縦支柱
５    補助支柱
７    連結具
９    棚板
１３  係止孔（縦支柱の係止孔）
１５  係止孔（補助支柱の係止孔）
１７  第１枢軸孔
１９  第２枢軸孔
２０    枢支部
２１、２３  連結板
２７  水平軸
３１  角度調節孔
３３  嵌合部材
３９  係止部
４５  軸部材（角度調節部）
【図１】
2004329402.tif 000003
【図２】
2004329402.tif 000004
【図３】
2004329402.tif 000005
【図４】
2004329402.tif 000006
【図５】
2004329402.tif 000007